(57)【要約】【課題】メモリに記憶された複数個のデータを補正する機能を備えた電子基板を、コストを抑えて提供する。【解決手段】ＲＯＭ５０には識別番号としてデータＮｏ．が付された制御用データ６０（６０ａ，６０ｂ，…）が記憶され、Ｅ2ＰＲＯＭ５１には、補正対象となる制御用データ６０のデータＮｏ．（選択データＮｏ．）と補正量とを含む補正用データ６１（６１ａ，６１ｂ，…）が記憶されている。電子基板７のマイクロコンピュータに備えられたデータ補正手段は、Ｅ2ＰＲＯＭ５１に記憶された補正用データ６１の選択データＮｏ．を参照し、選択データＮｏ．が付された制御用データ６０を、補正用データ６１の補正量を用いて補正する。【選択図】  図３
2006178746.tif 000002
【特許請求の範囲】
【請求項１】
識別番号を有する所定データを複数個記憶したＲＯＭと、
前記複数個の所定データのうちで補正の対象とする所定データの識別番号と、該補正の対象とする所定データの補正量とを含む補正用データを記憶した読み書き可能な不揮発性メモリと、
前記補正用データに含まれる前記所定データの識別番号を参照し、該識別番号が付された所定データを、該補正用データに含まれる補正量により補正するデータ補正手段とを備えたことを特徴とする電子基板。
【請求項２】
識別番号を有する所定データを複数個記憶したＲＯＭと、
前記複数個の所定データのうちで補正の対象とする所定データの識別番号と、該補正の対象とする所定データの変更値とを含む補正用データを記憶した読み書き可能な不揮発性メモリと、
前記補正用データに含まれる前記所定データの識別番号を参照し、該補正用データに含まれる変更値を、該識別番号が付された所定データの補正済みデータとするデータ補正手段とを備えたことを特徴とする電子基板。
【請求項３】
使用する燃料ガスの種類が異なる複数種類のガス燃焼装置に搭載可能であって、搭載されるガス燃焼装置で使用される燃料ガスの種類に応じた燃焼制御を実行し、
前記ＲＯＭには、前記所定データとして、前記複数種類のガス燃焼装置において燃焼制御を実行するための制御用データが記憶され、
前記読み書き可能な不揮発性メモリには、前記ＲＯＭに記憶された制御用データのうち、搭載されるガス燃焼装置の燃焼制御に使用される制御用データの識別番号を含む前記補正用データが記憶されていることを特徴とする請求項１又は請求項２記載の電子基板。
【発明の詳細な説明】
【技術分野】
【０００１】
本発明は、ＲＯＭに記憶されたデータを、読み書き可能な不揮発性メモリに記憶されたデータにより補正する機能を備えた電子基板に関する。
【背景技術】
【０００２】
従来より、例えばガス暖房機に搭載されて該ガス暖房機の作動を制御する電子基板において、燃焼制御に使用される各種の制御用データ（失火判定レベル、比例弁電流等）をＥ2ＰＲＯＭに記憶し、スイッチ操作によりこれらの制御用データを補正できるようにしたものが知られている（例えば、特許文献１参照）。このように、制御用データを読み書き可能な不揮発性メモリであるＥ2ＰＲＯＭに記録することで、制御用データを補正して更新することができる。
【０００３】
しかし、Ｅ2ＰＲＯＭは高価であるため、制御用データの個数が多く、容量の大きなＥ2ＰＲＯＭを備える必要がある場合には、電子基板のコストが高くなるという不都合があった。
【０００４】
また、図５に示したように、制御用データの基準値が記録されたＲＯＭ１００と、各制御用データの補正データが記録されたＥ2ＰＲＯＭ１０１とを備えて、ＲＯＭ１００に記録された制御用データの基本値を、Ｅ2ＰＲＯＭ１０１に記録された補正用データにより補正して、燃焼制御で実際に使用する制御用データを得るようにした電子基板も知られている。かかる電子基板によれば、Ｅ2ＰＲＯＭに制御用データの補正値を予めＥ2ＰＲＯＭに書き込んでおくことにより、制御用データを任意に補正することができる。
【０００５】
しかし、図５に示した構成による場合には、ＲＯＭに記録される制御用データの個数と同数の補正用データを書き込むための容量を有するＥ2ＰＲＯＭ１０１を備える必要がある。そのため、この場合にも、制御用データの個数が多く、容量の大きなＥ2ＰＲＯＭを備える必要があるときには、電子基板のコストが高くなるという不都合があった。
【特許文献１】特開平６−２２９５４７号公報
【発明の開示】
【発明が解決しようとする課題】
【０００６】
本発明は、上記不都合を解消し、メモリに記憶された複数個のデータを補正する機能を備えた電子基板を、コストを抑えて提供することを特徴とする。
【課題を解決するための手段】
【０００７】
本発明は上記目的を達成するためになされたものであり、本発明の第１の態様は、識別番号を有する所定データを複数個記憶したＲＯＭと、前記複数個の所定データのうちで補正の対象とする所定データの識別番号と、該補正の対象とする所定データの補正量とを含む補正用データを記憶した読み書き可能な不揮発性メモリと、前記補正用データに含まれる前記所定データの識別番号を参照し、該識別番号が付された所定データを、該補正用データに含まれる補正量により補正するデータ補正手段とを備えたことを特徴とする。
【０００８】
かかる本発明によれば、前記読み書き可能な不揮発性メモリは、補正の対象とする前記所定データの個数分の前記補正用データが記憶できる容量を有すればよい。そのため、前記ＲＯＭに記憶された全ての制御用データの個数分の補正用データを前記読み書き可能な不揮発性メモリに記憶する場合に比べて、コストの高い前記読み書き可能な不揮発性メモリの容量を減少させることができる。そして、これにより、前記読み書き可能な不揮発性メモリのコストを抑制して、前記所定データの補正を行なうことができる電子基板を構成することができる。
【０００９】
また、本発明の第２の態様は、識別番号を有する所定データを複数個記憶したＲＯＭと、前記複数個の所定データのうちで補正の対象とする所定データの識別番号と、該補正の対象とする所定データの変更値とを含む補正用データを記憶した読み書き可能な不揮発性メモリと、前記補正用データに含まれる前記所定データの識別番号を参照し、該補正用データに含まれる変更値を、該識別番号が付された所定データの補正済みデータとするデータ補正手段とを備えたことを特徴とする。
【００１０】
かかる本発明による場合にも、前記第１の態様と同様に、前記読み可能な不揮発性メモリは、補正の対象とする所定データの個数分の前記補正用データが記憶できる容量を有すればよい。そのため、前記読み書き可能な不揮発性メモリのコストを抑制して、前記所定データの補正を行なうことができる電子基板を構成することができる。
【００１１】
また、使用する燃料ガスの種類が異なる複数種類のガス燃焼装置に搭載可能であって、搭載されるガス燃焼装置で使用される燃料ガスの種類に応じた燃焼制御を実行し、前記ＲＯＭには、前記所定データとして、前記複数種類のガス燃焼装置において燃焼制御を実行するための制御用データが記憶され、前記読み書き可能な不揮発性メモリには、前記ＲＯＭに記憶された制御用データのうち、搭載されるガス燃焼装置の燃焼制御に使用される制御用データの識別番号を含む前記補正用データが記憶されていることを特徴とする。
【００１２】
かかる本発明においては、前記複数種類のガス燃焼装置における燃焼制御に対応するため、容量の大きいＲＯＭを用意して多数の種類の制御用データを記憶しておく必要がある。一方、前記読み書き可能な不揮発性メモリには、実際に電子基板が搭載されるガス燃焼装置で使用される制御用データを補正するための前記補正用データのみを記憶しておけばよい。そのため、ＲＯＭよりもコストが高い前記読み書き可能な不揮発性メモリについては、ＲＯＭよりも容量の小さいものを備えればよく、複数種類のガス燃焼装置の燃焼制御に対応可能であって、使用される制御用データの補正が可能な電子基板をコストを抑制して構成することができる。
【発明を実施するための最良の形態】
【００１３】
本発明の実施の形態について、図１〜図４を参照して説明する。図１は本発明の電子基板が搭載されたガスファンヒータの全体構成図、図２は図１に示した電子基板の構成図、図３は図２に示した電子基板におけるデータの記憶態様の説明図、図４は図２に示した電子基板におけるデータの他の記憶態様の説明図である。
【００１４】
図１を参照して、ガスファンヒータの本体ケース１内には、ダクト２、暖房ファン３、ガスバーナ４、給気ダクト５、ガス供給管６及び電子基板７が備えられている。
【００１５】
ダクト２は、温風の送風路を構成するものであり、室内空気を取り込む吸気口８を本体ケース１の背面に開口し、本体ケース１の前面下部において温風の吹出口９を開口している。吹出口９には、その開口度合いを調節する可動式ルーバ１１が装着され、可動式ルーバ１１を駆動するギヤドモータ１２が設けられている。
【００１６】
暖房ファン３は、ファンモータ１４と、吹出口９に臨んで配置されてファンモータ１４により回転駆動される回転羽根１５とを有し、回転羽根１５の回転により吸気口８からダクト２内に室内空気ｓを吸引する。そして、吸引した室内空気ｓとガスバーナ４の燃焼排気ｈとの混合気を、温風ｍとして吹出口９から室内に吹き出す。また、暖房ファン３には、ファンモータ１４の回転数を検出する回転数センサ１６が備えられている。
【００１７】
ガスバーナ４の下流側には、ガスバーナ４に点火するための点火電極１９とガスバーナ４の燃焼状態を検知するための熱電対２０とが配置され、ガスバーナ４の燃焼排気ｈは燃焼胴１７からダクト２内に排出される。
【００１８】
給気ダクト５は、燃焼用空気と燃料ガスをガスバーナ４に供給するための通路であり、本体ケース１の背面で開口した吸気口２１を備えている。そして、給気ダクト５のガスバーナ４側の箇所には、ガス供給管６の先端に装着されたノズル２２が設けられ、ノズル２２から噴出される燃料ガスは、暖房ファン３の作動により吸気口２１から吸入された燃焼用空気と混合されてガスバーナ４に供給される。なお、吸気口２１に臨んで吸気口２１は、ダクト２の吸気口８と共にエアフィルタ１０で覆われている。
【００１９】
ガス供給管６には、上流側から、電磁開閉弁２４，２５及び電磁比例弁２６が順に配設されている。電磁開閉弁２４，２５は通電時に開弁し通電が停止すると閉弁するものであり、電磁比例弁２６は通電電流の大きさに応じて開度が変化するものである。
【００２０】
本体ケース１の外面部には、ランプ３２（図２参照）を内蔵した運転スイッチ２７、室温設定スイッチ２８、換気ランプ２９、及びブザー３１が配設されている。また、ガスバーナ４の燃焼不良等によりガスファンヒータの内部温度が異常上昇したことを検知するための過熱防止用サーミスタ３３が設けられている。
【００２１】
次に、図２を参照して、電子基板７には、ＲＯＭ５０を内蔵したマイクロコンピュータ４０（以下、マイコン４０という）と、Ｅ2ＰＲＯＭ５１（本発明の読み書き可能な不揮発性メモリに相当する）と、ファンモータ１４の回転数制御を行なうファン制御部４１とが備えられている。
【００２２】
そして、室温サーミスタ１３、熱電対２０、及び過熱防止用サーミスタ３３からの検出信号と、運転スイッチ２７及び室温設定スイッチ２８からの操作信号とが、電子基板７に入力される。また、電子基板７から出力される制御信号により、ギヤドモータ１２、点火電極１９、電磁弁２４、電磁弁２５、電磁比例弁２６、換気ランプ２９、ブザー３１、運転スイッチ内蔵ランプ３２、及びファン制御部４１の作動が制御される。
【００２３】
マイコン４０には、室温サーミスタ１３により検出される室温が、室温設定スイッチ２８による設定室温と一致するように、電磁比例弁２６の開度とファンモータ１４の回転数を制御してガスバーナ４の燃焼量を制御する「燃焼制御」を実行する燃焼制御手段４５と、「燃焼制御」で使用される制御用データ（本発明の所定データに相当する）の補正を行なうデータ補正手段４６とが備えられている。
【００２４】
次に、制御用データを補正するための第１の実施の形態について、図３を参照して説明する。電子基板７は、使用する燃料ガスの種類が異なるガスファンヒータで、共通に使用されるものである。そのため、マイコン４０のＲＯＭ５０には、図３に示したように、４種類の燃料ガス（１３Ａ、ＬＰ、Ｐ１３Ａ，ＴＧ）に適応したガスバーナの「燃焼制御」を実行するための制御用データ６０（６０ａ，６０ｂ，…）が記憶されている。そして、ＲＯＭ５０に記憶された制御用データには、各制御用データを他の制御用データから識別するための識別番号（データＮｏ．）が付されている。
【００２５】
また、Ｅ2ＰＲＯＭ５１には、ＲＯＭ５０に記憶された制御用データ６０の補正に使用される補正用データ６１（６１ａ，６１ｂ，…）が記憶されている。ここで、本実施の形態のガスファンヒータは燃料ガスとして１３Ａを使用するものである。そのため、これに対応して、Ｅ2ＰＲＯＭ５１には、ＲＯＭ５０に記憶された制御用データ６０のうち、１３Ａに対応した制御データ６０ａ，６０ｅ，…を補正するための補正用データ６１ａ，６１ｂ，…のみが記憶されている。
【００２６】
この場合、４種類の燃料ガスに適応するための全ての制御用データ６０を記憶するために必要容量が大きくなるＲＯＭ５０に対して、Ｅ2ＰＲＯＭ５１の必要容量は小さくなる。そして、ＲＯＭ５０のコストは比較的安価なため、容量の増加によるコストの上昇は小さいが、Ｅ2ＰＲＯＭ５１のコストはＲＯＭよりも高いため、容量の増加によるコストの上昇が大きくなる。そのため、全ての制御用データ６０を補正するために、制御用データ６０の個数と同数の補正用データを記憶可能な容量を有するＥ2ＰＲＯＭ５１を備える場合に比べて、電子基板７のコストを下げることができる。
【００２７】
Ｅ2ＰＲＯＭ５１に記憶された補正用データ６１には、ＲＯＭ５０に記憶された制御用データ６０の中から補正対象とするものを選択するための選択データＮｏ．と、補正量とが含まれている。そして、データ補正手段４６は、Ｅ2ＰＲＯＭ５１に記憶された補正用データ６１に含まれる選択データＮｏ．参照して、補正する制御用データ６０を選択する。
【００２８】
図３に示した例では、Ｅ2ＰＲＯＭ５１に記憶された補正用データ６１ａに含まれる選択データＮｏ．が「１」であるため、データ補正手段４６は、データＮｏ．が「１」である制御用データ６０ａを、補正用データ６１ａに含まれる補正量で補正する。
【００２９】
例えば、データＮｏ．が「１」である制御用データ６０ａ（ガス種１３Ａ用の比例弁電流基本値）として、１４０mAが記憶され、補正用データ６１ａに補正量として１０LSB（１LSB＝０．５mA）が記憶されていた場合には、以下の式（１）による算出値を比例弁電流基本値の補正値とする。
【００３０】
比例弁電流出力値 ＝ １４０＋１０×２ ＝ １６０mA  ・・・・・（１）
また、データＮｏ．が「５」である制御用データ６０ｅに、ガス種１３Ａに対応した暖房ファン回転数基本値として８１０rpmが記憶され、選択データＮｏ．が「５」である補正用データ６１ｂに、補正量として０LSBが記憶されていた場合には、データ補正手段４６はガス種１３Ａに対応した暖房ファン回転数基本値の補正を行なわない。
【００３１】
そして、燃焼制御手段４５は、データ補正手段４６により補正されたガス種１３Ａに対応した制御用データを用いて、ガスバーナ４の「燃焼制御」を実行する。
【００３２】
なお、補正量が０LSBの場合は、補正データをもたなくてもよい。また、Ｅ2ＰＲＯＭ５１に全てのガス種についての補正データを記憶するのではなく、実際に使用され得るガス種の補正データのみを記憶するようにしてもよい。これらにより、Ｅ2ＰＲＯＭ５１の記憶容量をさらに小さくすることができる。
【００３３】
次に、制御用データを補正するための第２の実施の形態について、図４を参照して説明する。第２の実施の形態においても、上記第１の実施の形態と同様に、ＲＯＭ５０には、４種類の燃料ガス（１３Ａ，ＬＰ，Ｐ１３Ａ，ＴＧ）に適応したガスバーナの「燃焼制御」を実行するための制御用データ６５（６５ａ，６５ｂ，…）が記憶されている。そして、ＲＯＭ５０に記憶された制御用データ６５には、各制御用データ６５を他の制御用データ６５から識別するための識別番号（データＮｏ．）が付されている。
【００３４】
また、Ｅ2ＰＲＯＭ５１には、ＲＯＭ５０に記憶された制御用データ６０の補正に使用される補正用データ６６（６６ａ，６６ｂ，…）が記憶されている。そして、Ｅ2ＰＲＯＭ５１には、補正が必要な制御用データ６０に対応した補正用データ６６のみが記憶されている。
【００３５】
そのため、ＲＯＭ５０に記憶された全ての制御用データ６５の個数と同数の補正用データを記憶可能な容量を有するＥ2ＰＲＯＭ５１を備える場合に比べて、容量の小さいＥ2ＰＲＯＭを備えればよく、これにより電気基板７のコストを下げることができる。
【００３６】
Ｅ2ＰＲＯＭ５１に記憶された補正用データ６６には、ＲＯＭ５０に記憶された制御用データ６５の中から補正対象とするものを選択するための選択データＮｏ．と、変更値とが含まれている。そして、データ補正手段４６は、Ｅ2ＰＲＯＭ５１に記憶された補正用データ６６に含まれる選択データＮｏ．を参照して、補正する制御用データ６０を選択する。
【００３７】
図４に示した例では、Ｅ2ＰＲＯＭ５１に記憶された補正用データ６６ａに含まれる選択データＮｏ．が「５０」であるため、データ補正手段４６は、補正用データ６６ａの変更値１４mVを、データＮｏ．が「５０」である制御用データ６５ａの失火判定レベル（１２mV、ガス種：１３Ａ）の補正済みデータとする。
【００３８】
また、Ｅ2ＰＲＯＭ５１に記憶された補正用データ６６ｂに含まれる選択データＮｏ．が「５２」であるため、データ補正手段４６は、補正用データ６６ｂの変更値１２mVを、データＮｏ．が「５２」である制御用データ６５ｃの失火判定レベル（１６mV、ガス種：Ｐ１３Ａ）の補正済みデータとする。
【００３９】
また、Ｅ2ＰＲＯＭ５１に全てのガス種についての補正データを記憶するのではなく、実際に使用され得るガス種の補正データのみを記憶するようにしてもよい。これにより、Ｅ2ＰＲＯＭ５１の記憶容量をさらに小さくすることができる。
【００４０】
なお、本実施の形態では、本発明の電子基板として、ガスファンヒータに搭載されてガスバーナの燃焼制御を実行する電子基板を示したが、ＲＯＭに記憶された所定データを、読み書き可能な不揮発性メモリに記憶された補正用データを用いて補正する電子基板であれば、広く本発明の適用が可能である。
【００４１】
また、本実施の形態では、本発明の読み書き可能な不揮発性メモリとしてＥ2ＰＲＯＭを用いたが、フラッシュメモリ等の他の種類の不揮発性メモリを用いてもよい。
【図面の簡単な説明】
【００４２】
【図１】本発明の電子基板が搭載されたガスファンヒータの全体構成図。
【図２】図１に示した電子基板の構成図。
【図３】図２に示した電子基板におけるデータの記憶態様の説明図。
【図４】図２に示した電子基板におけるデータの他の記憶態様の説明図。
【図５】従来の電子基板におけるデータの記憶態様の説明図。
【符号の説明】
【００４３】
１…（ガスファンヒータの）本体ケース、４…バーナ、７…電子基板、４０…マイクロコンピュータ、４５…燃焼制御手段、４６…データ補正手段、５０…ＲＯＭ、５１…Ｅ2ＰＲＯＭ
【図１】
2006178746.tif 000003
【図２】
2006178746.tif 000004
【図３】
2006178746.tif 000005
【図４】
2006178746.tif 000006
【図５】
2006178746.tif 000007